(57)【特許請求の範囲】
【請求項１】
クランク状の目地部を介して設置された左右の建物等の躯体の床面を覆うことができる目地部側の床面上に両側部が位置する目地プレートと、この目地プレートの中央部に上端部が固定され、下端部が前記目地部の床面に車輪やローラー等の移動体を介して支持された少なくとも２個以上の支柱、この少なくとも２個以上の支柱を前記床面側の目地部の中央部にそれぞれ常時位置するように中央枢支部に枢支あるいは中央枢支部に枢支されたバー部材に枢支する両端部が床面側の左右の躯体に取付けられた中央維持リンク機構とからなる中央維持装置とからなることを特徴とする床用目地装置。
【請求項２】
クランク状の目地部を介して設置された左右の建物等の躯体の目地部側の床面に形成された目地部に開口し、反目地部側が傾斜面に形成された一対の凹部と、この一対の凹部および前記目地部を覆う両側部が前記一対の凹部の傾斜面に沿って上方へ突出する傾斜面が形成された目地プレートと、この目地プレートの中央部に上端部が固定され、下端部が前記目地部の床面に車輪やローラー等の移動体を介して支持された少なくとも２個以上の支柱、この少なくとも２個以上の支柱を前記床面側の目地部の中央部にそれぞれ常時位置するように中央枢支部に上下移動可能に枢支あるいは中央枢支部に枢支されたバー部材に上下移動可能に枢支する両端部が床面側の左右の躯体に取付けられた中央維持リンク機構とからなる中央維持装置とからなることを特徴とする床用目地装置。
【請求項３】
クランク状の目地部を介して設置された左右の建物等の躯体の目地部側の床面に形成された目地部に開口する一対の凹部と、この一対の凹部のほぼ中央部に両側部が位置して前記目地部を覆う目地プレートと、この目地プレートの両側部の上部に前記一対の凹部を覆うように取付けられた一対のカバープレートと、前記目地プレートの中央部に上端部が固定され、下端部が前記目地部の床面に車輪やローラー等の移動体を介して支持された少なくとも２個以上の支柱、この少なくとも２個以上の支柱と前記床面側の目地部の中央部にそれぞれ常時位置するように中央枢支部に枢支あるいは中央枢支部に枢支されたバー部材に枢支する両端部が床面側の左右の躯体に取付けられた中央維持リンク機構とからなる中央維持装置とからなることを特徴とする床用目地装置。
【発明の詳細な説明】
【０００１】
【発明の属する技術分野】
本発明は目地部を介して設置された左右の建物等の躯体の床面間を覆う床用目地装置に関する。
【０００２】
【従来の技術】
従来、この種の床用目地装置は目地部側の床面上に両側部が位置する目地プレートと、この目地プレートの中央部を目地部の中央部に位置させる両側部が左右の躯体に取付けられた中央維持リンク機構とで構成されている。
【０００３】
【発明が解決しようとする課題】
従来の床用目地装置は目地部の幅寸法が小さく、軽量の目地プレートの場合には中央維持リンク機構を損傷なく作動させることができるが、免震ビル等のように大きな目地部の幅寸法があり、大きく重い目地プレートを使用しなければならない場合には、中央維持リンク機構を損傷なく作動させることができないという欠点があった。
【０００４】
本発明は以上のような従来の欠点に鑑み、大きくて重い目地プレートをスムーズに移動させて、地震等によって左右の建物等の躯体が異なる左右方向に揺れ動いても、スムーズに追従させて損傷するのを効率よく阻止できる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明はクランク状の目地部を介して設置された左右の建物等の躯体の床面を覆うことができる目地部側の床面上に両側部が位置する目地プレートと、この目地プレートの中央部に上端部が固定され、下端部が前記目地部の床面に車輪やローラー等の移動体を介して支持された少なくとも２個以上の支柱、この少なくとも２個以上の支柱を前記床面側の目地部の中央部にそれぞれ常時位置するように中央枢支部に枢支あるいは中央枢支部に枢支されたバー部材に枢支する両端部が床面側の左右の躯体に取付けられた中央維持リンク機構とからなる中央維持装置とで床用目地装置を構成している。
【０００７】
【発明の実施の形態】
以下、図面に示す実施の形態により、本発明を詳細に説明する。
【０００８】
図１ないし図７に示す本発明の第１の実施の形態において、１はクランク状の目地部２を介して設置された左右の建物等の躯体３、３、本発明の実施の形態では免震ビルの建物の躯体３とよう壁の躯体３の床面４、４を覆うことができる本発明の床用目地装置で、この床用目地装置１は前記床面４、４の目地部側の床面上に両側部が位置する目地プレート５と、この目地プレート５の中央部に上端部が固定され、下端部が前記目地部の床面６に車輪やローラー等の移動体７を介して支持された少なくとも２個以上の支柱８、８、この少なくとも２個以上の支柱８、８を前記床面側の目地部２ａの中央部にそれぞれ常時位置するように中央枢支部９、９に枢支する両端部が床面側の左右の躯体３、３に取付けられた中央維持リンク機構１０、１０とからなる中央維持装置１１とで構成されている。
【０００９】
前記目地プレート５は図４に示すように、前記床面側の目地部２ａの幅寸法のほぼ２倍の寸法に形成され、両側部に傾斜面１２、１２が形成されたアルミ、ステンレス等の金属材で形成されたものが使用されている。
【００１０】
前記中央維持装置１１の中央維持リンク機構１０、１０は、図５に示すように四角枠形状に形成されたリンク１３と、このリンク１３の対向するバー部材１３ａ、１３ａのほぼ中央部に両端部を枢支ピン１４、１４で枢支した中央部に中央枢支部９が形成された中央バー部材１５と、前記リンク１３の両端部の枢支ピン１６、１６に枢支された取付け金具１７、１７とで構成されている。
【００１１】
上記構成の床用目地装置１は地震等によって左右の躯体３、３が目地部２が狭くなるように揺れ動いた場合、図６に示すように中央維持装置１１の中央維持リンク機構１０、１０が収縮し、支柱８、８が狭くなった目地部２の中央部へ移動させる。
この時、支柱８、８の下部は目地部の床面６に移動体７、７が設けられているため、目地部２の中央部に目地プレート５の中央部が位置するようにスムーズに移動して、その揺れ動きを吸収する。
【００１２】
目地部２が広くなるように揺れ動いた場合、図７に示すように中央維持装置１１の中央維持リンク機構１０、１０が伸長し、支柱８、８を広くなった目地部２の中央部へ前述と同様に目地部の中央部に目地プレート５の中央部が位置するようにスムーズに移動させて、その揺れ動きを吸収する。
【００１３】
【発明の異なる実施の形態】
次に、図８ないし図２４に示す本発明の異なる実施の形態につき説明する。なお、これらの本発明の異なる実施の形態の説明に当って、前記本発明の第１の実施の形態と同一構成部分には同一符号を付して重複する説明を省略する。
【００１４】
図８ないし図１０に示す本発明の第２の実施の形態において、前記本発明の第１の実施の形態と主に異なる点は、四角形状が２個形成されるパンタグラフ形状の中央維持リンク機構１０Ａ、１０Ａを使用した中央維持装置１１Ａを用いた点で、このような中央維持装置１１Ａを用いて構成した床用目地装置１Ａにしても前記本発明の第１の実施の形態と同様な作用効果が得られる。
【００１５】
図１１ないし図１４に示す本発明の第３の実施の形態において、前記本発明の第１の実施の形態と主に異なる点は、左右の躯体３、３の目地部側の床面４、４に目地部に開口し、反目地部側が傾斜面１８、１８に形成された一対の凹部１９、１９と、この一対の凹部１９、１９を覆い両側部に前記傾斜面１８、１８に沿って上方へ移動する傾斜面２０、２０が形成された金属材で浅皿状に形成された目地プレート本体２１、この目地プレート本体２１内にモルタルあるいはコンクリート２２を介して固定されたタイルあるいは床化粧板２３とからなる目地プレート５Ａとを用い、中央維持リンク機構１０、１０の中央枢支部９、９に支柱８、８を上下移動可能に取付けた点で、このように構成した床用目地装置１Ｂにしても、前記本発明の第１の実施の形態と同様な作用効果が得られる。
【００１６】
図１５ないし図１８に示す本発明の第４の実施の形態において、前記本発明の第１の実施の形態と主に異なる点は、左右の躯体３、３の目地部側の床面４、４に目地部に開口する一対の凹部１９Ａ、１９Ａを形成し、該一対の凹部１９Ａ、１９Ａに複数本のビス２４等によって、下地レール２５、２５を固定するとともに、該下地レール２５、２５のほぼ中央部に両側部が位置する両側部に複数個の車輪やローラー等の移動体２６、２６を備える目地プレート５Ｂの両側部の上部で下地レール２５、２５を覆うように、該下地レール２５、２５に複数本のビス２７等によって固定された一対のカバープレート２８、２８とを用いた点で、このように構成した床用目地装置１Ｃにしても、前記本発明の第１の実施の形態と同様な作用効果が得られる。
【００１７】
図１９ないし図２１に示す本発明の第５の実施の形態において、前記本発明の第４の実施の形態と主に異なる点は、中央維持リンク機構１０、１０の中央枢支部９、９に枢支ピン２９、２９でバー部材３０を取付けた中央維持装置１１Ｂと、この中央維持装置１１Ｂのバー部材３０に所定間隔で支柱８、８、８を取り付けた点で、このように構成した床用目地装置１Ｄにしても、前記本発明の第４の実施の形態と同様な作用効果が得られる。
なお、本発明の実施の形態では中央維持装置１１Ｂの中央維持リンク機構１０、１０の中央枢支部９、９に支柱８、８を取り付けてもよい。
【００１８】
図２２ないし図２４に示す本発明の第６の実施の形態において、前記本発明の第５の実施の形態と主に異なる点は、バー部材３０を常時目地部のほぼ中央部に支持できるように他方の床面側の躯体３に前後方向に取付けられたガイドレール３１と、このガイドレール３１に先端部がスライド移動可能に支持された一方の床面側の躯体３に所定間隔で固定された取り付け金具３２に枢支ピン３３で回動可能に取付けられた複数個、本発明の実施の形態では２個の支持バー３４、３４とからなる中央維持リンク機構１０Ｂを使用した中央維持装置１１Ｃを用いた点で、このような中央維持装置１１Ｃを用いて構成した床用目地装置１Ｅにしても、前記本発明の第５の実施の形態と同様な作用効果が得られる。
【００１９】
なお、中央維持リンク機構は対向する２本のラックバーと、この２本のラックバーと目地部の中央部で噛み合うピニオンを該２本のラックバーにスライド可能に支持されるスライド支持体で支持する中央維持リンク機構等前記本発明の各実施の形態で説明した中央維持リンク機構１０、１０Ａ、１０Ｂ以外の機構を使用してもよい。
【００２０】
【発明の効果】
以上の説明から明らかなように、本発明にあっては次に列挙する効果が得られる。
【００２１】
（１）クランク状の目地部を介して設置された左右の建物等の躯体の床面を覆うことができる目地部側の床面上に両側部が位置する目地プレートと、この目地プレートの中央部に上端部が固定され、下端部が前記目地部の床面に車輪やローラー等の移動体を介して支持された少なくとも２個以上の支柱、この少なくとも２個以上の支柱を前記床面側の目地部の中央部にそれぞれ常時位置するように中央枢支部に枢支あるいは中央枢支部に枢支されたバー部材に枢支する両端部が床面側の左右の躯体に取付けられた中央維持リンク機構とからなる中央維持装置とで構成されているので、目地プレートの中央部を中央維持装置の少なくとも２個以上の支柱によって支持することができる。
したがって、目地プレートの中央部に重量が加わっても撓んだりするのを効率よく阻止することができる。
【００２２】
（２）前記（１）によって、支柱の下部に車輪やローラー等の移動体を設け、目地部の床面上を移動できるようにしているので、支柱や目地プレートをスムーズに移動させて、地震時の揺れ動きを吸収することができる。
【００２３】
（３）前記（１）によって、大きくて重い目地プレートでも、目地プレートの中央部を移動体でスムーズに移動する支柱で支持するので、スムーズに目地プレートを移動させることができる。
したがって、免震ビル等の大きな目地部の寸法を有する所にも使用することができる。
【００２４】
（４）前記（１）によって、構造が簡単であるので、容易に設置することができる。
【００２５】
（５）請求項２、３も前記（１）〜（４）と同様な効果が得られる。
【図面の簡単な説明】
【図１】本発明の第１の実施の形態の使用状態の説明図。
【図２】図１の２−２線に沿う拡大断面図。
【図３】本発明の第１の実施の形態の中央維持装置の取付け状態の説明図。
【図４】本発明の第１の実施の形態の目地プレートの説明図。
【図５】本発明の第１の実施の形態の中央維持装置の説明図。
【図６】本発明の第１の実施の形態の目地部が狭くなった場合の動作説明図。
【図７】本発明の第１の実施の形態の目地部が広くなった場合の動作説明図。
【図８】本発明の第２の実施の形態の使用状態の説明図。
【図９】図８の９−９線に沿う拡大断面図。
【図１０】本発明の第２の実施の形態の中央維持装置の説明図。
【図１１】本発明の第３の実施の形態の使用状態の説明図。
【図１２】図１１の１２−１２線に沿う拡大断面図。
【図１３】本発明の第３の実施の形態の目地プレートの説明図。
【図１４】本発明の第３の実施の形態の目地部が狭くなった場合の動作説明図。
【図１５】本発明の第４の実施の形態の使用状態の説明図。
【図１６】図１５の１６−１６線に沿う拡大断面図。
【図１７】本発明の第４の実施の形態の目地プレートの説明図。
【図１８】本発明の第４の実施の形態の目地部が狭くなった場合の動作説明図。
【図１９】本発明の第５の実施の形態の使用状態の説明図。
【図２０】図１９の２０−２０線に沿う拡大断面図。
【図２１】本発明の第５の実施の形態の中央維持装置の取付け状態の説明図。
【図２２】本発明の第６の実施の形態の使用状態の説明図。
【図２３】図２２の２３−２３線に沿う拡大断面図。
【図２４】本発明の第６の実施の形態の中央維持装置の取付け状態の説明図。
【符号の説明】
１、１Ａ〜１Ｅ：床用目地装置、
２：クランク状の目地部、３：左右の躯体、
４：床面、
５、５Ａ、５Ｂ：目地プレート、
６：目地部の床面、      ７：移動体、
８：支柱、              ９：中央枢支部、
１０、１０Ａ、１０Ｂ：中央維持リンク機構、
１１、１１Ａ〜１１Ｃ：中央維持装置、
１２：傾斜面、          １３：リンク、
１４：枢支ピン、        １５：中央バー部材、
１６：枢支ピン、        １７：取付け金具、
１８：傾斜面、          １９、１９Ａ：凹部、
２０：傾斜面、          ２１：目地プレート本体、
２２：モルタルあるいはコンクリート、
２３：タイルあるいは床化粧板、
２４：ビス、            ２５：下地レール、
２６：移動体、          ２７：ビス、
２８：カバープレート、  ２９：枢支ピン、
３０：バー部材、        ３１：ガイドレール、
３２：取り付け金具、    ３３：枢支ピン、
３４：支持バー。
【図１】
0003662172.tif 000002
【図２】
0003662172.tif 000003
【図３】
0003662172.tif 000004
【図４】
0003662172.tif 000005
【図５】
0003662172.tif 000006
【図６】
0003662172.tif 000007
【図７】
0003662172.tif 000008
【図８】
0003662172.tif 000009
【図９】
0003662172.tif 000010
【図１０】
0003662172.tif 000011
【図１１】
0003662172.tif 000012
【図１２】
0003662172.tif 000013
【図１３】
0003662172.tif 000014
【図１４】
0003662172.tif 000015
【図１５】
0003662172.tif 000016
【図１６】
0003662172.tif 000017
【図１７】
0003662172.tif 000018
【図１８】
0003662172.tif 000019
【図１９】
0003662172.tif 000020
【図２０】
0003662172.tif 000021
【図２１】
0003662172.tif 000022
【図２２】
0003662172.tif 000023
【図２３】
0003662172.tif 000024
【図２４】
0003662172.tif 000025